(57)【特許請求の範囲】
【請求項１】
前後方向と左右方向に開口部が複数並設状態に設けられて、この開口部を利用して連結組立てする方形板状のスノコ板であって、前記スノコ板の左右両端部に、前記複数の開口部から選択した開口部に嵌脱自在に嵌め込み可能な連結用凸部が設けられ、この左右両端部の連結用凸部を夫々、立ち姿勢として前記複数の開口部が上下に並設するようにした他のスノコ板の前記開口部に嵌め込むことにより、スノコ板の左右両端部に他のスノコ板を夫々直交状態で連結して前記スノコ板が底部と左右側部に設けられたＵ字形スノコを組立てできるように構成されていると共に、側部スノコ板の上下に並設する複数の開口部から底部スノコ板の連結用凸部を嵌め込む開口部を選択することにより、側部スノコ板に対する底部スノコ板の高さを変更し得るように構成され、このＵ字形スノコを組立てた際に接地面に接地する接地部がスノコ板の底部に設けられているか、若しくはＵ字形スノコの底部スノコ板の高さを変更した際に側部スノコ板の前記連結用凸部が接地面に接地する接地部として機能するように構成されていることを特徴とするスノコ板。
【請求項２】
前記連結用凸部は、前記スノコ板の前後方向に複数並設状態に設けられて、この前後複数の連結用凸部が、立ち姿勢として前記複数の開口部が上下に並設するようにした他のスノコ板の前後方向に並設する複数の前記開口部に嵌め込み可能に構成されていることを特徴とする請求項１記載のスノコ板。
【請求項３】
前記スノコ板は合成樹脂製とされ、このスノコ板の左右両端部に前記連結用凸部が一体成形され、このスノコ板の底部に前記接地部が一体成形されているか若しくは前記連結用凸部が前記接地部として機能する形状に一体成形されていることを特徴とする請求項１，２のいずれか１項に記載のスノコ板。
【請求項４】
前記スノコ板の左右両端部若しくは前記連結用凸部に、撓み弾性を有する弾性片が設けられ、この弾性片に、前記連結用凸部を前記開口部に嵌め込んだ際に開口部に係脱自在に係止する係止爪が設けられて、この係止爪を開口部に係止することにより連結用凸部を開口部に連結保持可能に構成されていると共に、弾性片を撓ませて係止爪を開口部から係脱することにより連結用凸部を開口部から取り外し可能に構成されていることを特徴とする請求項１〜３のいずれか１項に記載のスノコ板。
【発明の詳細な説明】
【技術分野】
【０００１】
本発明は、押入れやクローゼットなどの収納空間内に設置して使用するスノコ板に関するものである。
【背景技術】
【０００２】
押入れ内やクローゼットなどの収納空間内は湿気が発生し易く、カビが繁殖し易い環境にある。
【０００３】
そこで、収納空間の床面（接地面）にスノコ板を敷設し、このスノコ板上に布団等を載置収納することによって収納空間内の通気性を確保しカビの発生を抑制しようとすることが従来から行われている（例えば、特許文献１参照）。
【先行技術文献】
【特許文献】
【０００４】
【特許文献１】実用新案登録第３０３４１７２号公報
【発明の概要】
【発明が解決しようとする課題】
【０００５】
本発明は、この種押入れ等の収納空間で使用するスノコ板の改良に係るもので、複数のスノコ板をＵ字形に組成可能で、これにより収納空間内の接地面に加えて側壁面にもスノコ板を沿わせて設置でき、またスノコ板による押入れの中棚も形成可能となる実用性に優れたスノコ板を提供するものである。
【課題を解決するための手段】
【０００６】
添付図面を参照して本発明の要旨を説明する。
【０００７】
前後方向と左右方向に開口部２が複数並設状態に設けられて、この開口部２を利用して連結組立てする方形板状のスノコ板１であって、前記スノコ板１の左右両端部に、前記複数の開口部２から選択した開口部２に嵌脱自在に嵌め込み可能な連結用凸部３が設けられ、この左右両端部の連結用凸部３を夫々、立ち姿勢として前記複数の開口部２が上下に並設するようにした他のスノコ板１の前記開口部２に嵌め込むことにより、スノコ板１の左右両端部に他のスノコ板１を夫々直交状態で連結して前記スノコ板１が底部と左右側部に設けられたＵ字形スノコＳを組立てできるように構成されていると共に、側部スノコ板１Ｂの上下に並設する複数の開口部２から底部スノコ板１Ａの連結用凸部３を嵌め込む開口部２を選択することにより、側部スノコ板１Ｂに対する底部スノコ板１Ａの高さを変更し得るように構成され、このＵ字形スノコＳを組立てた際に接地面４に接地する接地部５がスノコ板１の底部に設けられているか、若しくはＵ字形スノコＳの底部スノコ板１Ａの高さを変更した際に側部スノコ板１Ｂの前記連結用凸部３が接地面４に接地する接地部５として機能するように構成されていることを特徴とするスノコ板に係るものである。
【０００８】
また、前記連結用凸部３は、前記スノコ板１の前後方向に複数並設状態に設けられて、この前後複数の連結用凸部３が、立ち姿勢として前記複数の開口部２が上下に並設するようにした他のスノコ板１の前後方向に並設する複数の前記開口部２に嵌め込み可能に構成されていることを特徴とする請求項１記載のスノコ板に係るものである。
【０００９】
また、前記スノコ板１は合成樹脂製とされ、このスノコ板１の左右両端部に前記連結用凸部３が一体成形され、このスノコ板１の底部に前記接地部５が一体成形されているか若しくは前記連結用凸部３が前記接地部５として機能する形状に一体成形されていることを特徴とする請求項１，２のいずれか１項に記載のスノコ板に係るものである。
【００１０】
また、前記スノコ板１の左右両端部若しくは前記連結用凸部３に、撓み弾性を有する弾性片６が設けられ、この弾性片６に、前記連結用凸部３を前記開口部２に嵌め込んだ際に開口部２に係脱自在に係止する係止爪が設けられて、この係止爪７を開口部２に係止することにより連結用凸部３を開口部２に連結保持可能に構成されていると共に、弾性片６を撓ませて係止爪７を開口部２から係脱することにより連結用凸部３を開口部２から取り外し可能に構成されていることを特徴とする請求項１〜３のいずれか１項に記載のスノコ板に係るものである。
【発明の効果】
【００１１】
本発明は上述のように構成したから、スノコ板の左右両端部に他のスノコ板を夫々直交状態に連結してスノコ板が底部と左右側部に設けられたＵ字形スノコを組成でき、従って、押入れやクローゼットなどの収納空間内の接地面と側壁面とに、Ｕ字形スノコの底部スノコ板と側部スノコ板を沿わせて設置できるので、接地面と側壁面に対して良好に通気性を確保できると共に、接地面と側壁面に生じた結露等に収納物が直接接触することを防止でき、また、組成したＵ字形スノコは、スノコ板の底部に設けた接地部が接地面に接地するか、若しくは連結用凸部が接地面に接地する接地部として機能するので、Ｕ字形スノコを接地面に安定的に設置でき、しかも本発明は、連結用凸部を嵌め込む開口部を複数の開口部から選択可能であるので、Ｕ字形スノコの側部スノコ板に対する底部スノコ板の高さを調整でき（様々な使用状況に対応して底部スノコ板を高さ調整でき）、その上、連結用凸部が嵌め込まれていない開口部を利用してスノコ板を増設することもでき、収納空間内で中棚として機能するスノコ板を有する形態のＵ字形スノコを組成することも容易に可能であるなど、極めて実用性に優れたスノコ板となる。
【００１２】
また、請求項２記載の発明においては、前後に並設する複数の連結用凸部を、他のスノコ板の前後に並設する複数の開口部に嵌め込みできるため、Ｕ字形スノコの底部スノコ板と側部スノコ板とが一層確固に連結されることになる極めて実用性に優れた構成のスノコ板となる。
【００１３】
また、請求項３記載の発明においては、前記作用・効果を発揮するスノコ板を合成樹脂の一体成形により簡易に設計実現可能となる一層実用性に優れた構成のスノコ板となる。
【００１４】
また、請求項４記載の発明においては、Ｕ字形スノコの底部スノコ板と側部スノコ板とを一層確固に連結できると共に、底部スノコ板と側部スノコ板の取り外し作業も容易に行われる極めて実用性に優れた構成のスノコ板となる。
【図面の簡単な説明】
【００１５】
【図１】本実施例を示す一部を省略した斜視図である。
【図２】本実施例を示す一部を省略した別角度からの斜視図である。
【図３】本実施例のスノコ板を、他のスノコ板に直交連結しようとする状態を示す斜視図である。
【図４】本実施例の連結用凸部、並びに係止爪を備えた弾性片を示す部分拡大斜視図である。
【図５】本実施例の連結用凸部を開口部に嵌め込み、係止爪を開口部に係止した状態（スノコ板同士を直交連結した状態）を示す一部拡大正断面図である。
【図６】本実施例のＵ字形スノコを示す正面図である。
【図７】本実施例のスノコ板を前後方向に連結した状態を示す斜視図である。
【図８】本実施例のスノコ板同士の前後連結構造を示す部分拡大底面図である。
【発明を実施するための形態】
【００１６】
好適と考える本発明の実施形態を、図面に基づいて本発明の作用を示して簡単に説明する。
【００１７】
本発明のスノコ板１を、押入れやクローゼットなどの収納空間内の接地面４（床面）に敷設し、このスノコ板１の上に布団などの収納物を載置収納すると、スノコ板１の左右方向に複数並設状態に設けられている開口部２によって通気性が良好に確保される共に、収納空間の接地面４に結露等が生じても、水滴や汚れ等が収納物に直接触れることがない。
【００１８】
また、本発明のスノコ板１は、左右両端部に設けた連結用凸部３を、夫々他のスノコ板１の前記複数の開口部２から選択した開口部２に嵌脱自在に嵌め込むことにより、スノコ板１の左右両端部に他のスノコ板１を夫々直交状態で連結して前記スノコ板１が底部と左右側部に設けられたＵ字形スノコＳを組成することができる。
【００１９】
従って、このＵ字形スノコＳを収納空間の接地面４に接地すると、Ｕ字形スノコＳの底部スノコ板１Ａが接地面４に沿うだけなく、収納空間の側壁面にも側部スノコ板１Ｂを沿わせて設置することが可能であるので、接地面４と側壁面に対して複数の開口部２により良好な通気性が確保されると共に、接地面４と側壁面に生じた結露等が収納物に直接触れることもない。
【００２０】
また、この際、スノコ板１の底部に設けた接地部５が接地面４に接地するか、若しくは前記連結用凸部３が接地面４に接地する接地部５として機能して、Ｕ字形スノコＳは収納空間内に安定的に設置されることになる。
【００２１】
また、前記Ｕ字形スノコＳを組成する際、連結用凸部３を嵌め込む開口部２を複数の開口部２から選択することによって、底部スノコ板１Ａの高さを側部スノコ板１Ｂに対して調整できる。
【００２２】
従って、様々な使用状況に対応して底部スノコ板１Ａを高さ調整でき、更に、連結用凸部３が嵌め込まれていない開口部２を利用して横設スノコ板１を増設することもでき、これにより収納空間内で中棚として機能する横設スノコ板１が増設された形態のＵ字形スノコＳを組成したり、収納空間内の天壁面に沿設する横設スノコ板１が増設された形態のＵ字形スノコＳを組成したりすることも可能である。
【実施例】
【００２３】
本発明の具体的な実施例について図面に基づいて説明する。
【００２４】
本実施例のスノコ板１は、合成樹脂製とし、図１，図２に示すような左右方向に長さを有する平面視略長方形板状であって、前後方向と左右方向に開口部２が複数並設する形状に一体成形したものとしている。
【００２５】
また、開口部２は、スノコ板１の前後方向に長さを有する平面視帯状の開口に形成し、この開口部２が、スノコ板１の前後方向の複数箇所（図面は二箇所）に所定間隔を置いた並設状態にして設けられると共に、スノコ板１の左右方向には、前後方向の並設数より多い複数箇所（少なくとも六箇所以上。図面では省略しているが十箇所以上が好ましい。）に所定間隔を置いた並設状態にして設けられる形状に、前記スノコ板１を一体成形している。
【００２６】
また、この開口部２は、左右の対向開口縁の途中部に、対向内側へ向けて突出する突起８を設けて、この対向する突起８間は、左右開口幅が他の部位の左右開口幅より幅狭となる形状に形成している。
【００２７】
また、このスノコ板１は、その底部に、接地面４（押入れやクローゼットなどの収納空間の床面等）に接地する略直方体状の接地部５を垂設状態に一体成形している。
【００２８】
また、この接地部５は、スノコ板１底部の前端部と後端部と前後中間位置とに垂設すると共に、左右方向に間隔を置いた複数箇所（図面は四箇所）に並設状態に設けている。
【００２９】
従って、この垂設する複数の接地部５により、スノコ板１は底部が接地面４に対して浮上した状態で接地し、この浮上空隙と前記複数の開口部２とによって通気性が良好に確保されると共に、この浮上間隙に、除湿剤や防虫剤などを配設することもできる構成としている。
【００３０】
本実施例は、前記スノコ板１の左右両端部に、前記複数の開口部２から選択した開口部２に嵌脱自在に嵌め込み可能な連結用凸部３を設けている。そして、図３，図５に示すように、この左右両端部の連結用凸部３を夫々他のスノコ板１の前記開口部２に、この他のスノコ板１の上面側から嵌め込むことにより、スノコ板１の左右両端部に他のスノコ板１を夫々直交状態で連結して前記スノコ板１が底部と左右側部に設けられた三体のスノコ板１から成るＵ字形スノコＳを組成し得るように構成している（図６参照）。
【００３１】
具体的には、スノコ板１の左右両端部に、外方へ向けて略直方体状の前記連結用凸部３を一体成形により突設している。
【００３２】
また、この連結用凸部３は、スノコ板１の左右両端部の各々に、前後方向に間隔を置いて四箇所突設し、このうち前側二箇所の連結用凸部３が、前後に並設する前記開口部２のうちの前側の開口部２の前記突起８を挟んだ前後位置に嵌め込まれ、後側二箇所の連結用凸部３が、前後に並設する開口部２のうちの後側の開口部２の前記突起８を挟んだ前後位置に嵌め込まれる構成としている（図３参照）。
【００３３】
即ち、片側四箇所の連結用凸部３が、他のスノコ板１の前後夫々の開口部２に嵌め込まれて連結用凸部３と開口部２とが確固に連結される構成としている。また、この嵌め込み時には、前側二箇所の連結用凸部３間と後側二箇所の連結用凸部３間に、前記突起８が嵌合状態で配設して、開口部２に対し連結用凸部３が前後方向に位置ズレしにくい連結状態となる構成としている。
【００３４】
また、この連結用凸部３は、各々の端部分の上下幅寸法が、前記開口部２の左右開口幅寸法と同じ幅寸法かやや小さい幅寸法に設定して、この連結用凸部３を開口部２に嵌め込んだ際に、側部スノコ板１Ｂを構成するスノコ板１の開口部２に対し底部スノコ板１Ａを構成するスノコ板１の連結用凸部３が上下方向に位置ズレしにくい連結状態となる構成としている。
【００３５】
また更に、連結用凸部３の側面部に、開口部２の孔縁に接するリブなどを設けることによって、連結用凸部３が開口部２に対して位置ズレしにくくなる構成を採用しても良い。
【００３６】
また、スノコ板１の左右両端部に他の二体のスノコ板１を連結して前記Ｕ字形スノコＳを組成する際、連結用凸部３を嵌め込む開口部２を複数の開口部２から選択することによってＵ字形スノコＳの側部スノコ板１Ｂに対する底部スノコ板１Ａの高さを調整することが可能な構成としている。
【００３７】
従って、様々な使用状況に対応して底部スノコ板１Ａを高さ調整できる。また更に、複数の開口部２が設けられていることにより、連結用凸部３が嵌め込まれていない開口部２を利用して横設スノコ板１を増設することもでき、これにより図６中に二点鎖線で示したように、収納空間内で中棚として機能する横設スノコ板１が増設された形態のＵ字形スノコＳを組成したり、収納空間内の天壁面に沿設する横設スノコ板１が増設された形態のＵ字形スノコＳを組成したりすることも可能な構成としている。
【００３８】
また、本実施例では、前記スノコ板１の左右両端部３に、撓み弾性を有する弾性片６を設け、この弾性片６に、前記連結用凸部３をスノコ板１の上面側から前記開口部２に嵌め込んだ際に開口部２の開口縁に係脱自在に係止する係止爪７を設けている。
【００３９】
具体的には、スノコ板１の左右両端部の、前側二箇所の連結用凸部３間と後側二箇所の連結用凸部３間とに、舌片状（薄板状）の前記弾性片６を水平外方に向けて突出一体成形し、この弾性片６の突出先端側の下面に、側面視で突出先端側ほど上下幅が先細る傾斜下面を有しこの傾斜下面の基端部に鉛直面が連設する側面視三角形状の突起を一体成形してこの三角突起を前記係止爪７としている（図４参照）。
【００４０】
また、ここで、前記開口部２について更に説明すると、その開口縁全周が下方へ延設する形状に成形している。
【００４１】
そして、連結用凸部３をスノコ板１の上面側から開口部２に嵌め込むと、同時に弾性片６もその下面の係止爪７の傾斜下面が前記突起８の突出先端面部に接触しながら開口部２内へと侵入していき、係止爪７の傾斜下面が突起８の突出先端面に接することで弾性片６が徐々に上方へ撓み変形し、係止爪７基端部の鉛直面が開口部２の開口縁の延設端縁に至ると、撓んだ弾性片６が弾性復帰して鉛直面が延設端縁に係止し、この係止により連結用凸部３が開口部２より抜け止め状態となり（連結用凸部３の開口部２への嵌め込み連結状態が保持され）、この係止爪７の係止状態から、指で操作するなどして弾性片６を上方へ撓ませて係止爪７（の鉛直面）を開口部２（の開口縁の延設端縁）から係脱させると、連結用凸部３を開口部２から取り外し可能となる構成としている。
【００４２】
尚、この係止爪７付の弾性片６は、前記連結用凸部３に設ける構成を採用しても良い。
【００４３】
本実施例では、前記Ｕ字形スノコＳを組成した際に、その底部スノコ板１Ａの前記接地部５が接地面４に接地可能（実際は、底部スノコ板１Ａを側部スノコ板１Ｂの最下段の開口部２に連結した際に底部スノコ板１Ａの接地部５が接地面４に接地可能）であると共に、その左右の側部スノコ板１Ｂの下端側に配された前記連結用凸部３（の突出先端面）が接地面４に接地する接地部５として機能するように、この連結用凸部３の形状並びに突出度等を設定構成している（図５，図６参照）。即ち、少なくとも左右の側部スノコ板１Ｂの接地部５（連結用凸部３）により、Ｕ字形スノコＳを接地面４（収納空間）に安定的に設置でき、底部スノコ板１Ａの接地部５も接地面４に接地可能となるＵ字形スノコＳを構成すれば、接地部５による接地面積が増加してより一層の安定接地が可能となる構成としている。
【００４４】
また、本実施例では、前記スノコ板１の前端部に接続部９を設け、この接続部９を着脱自在に接続可能な被接続部10を前記スノコ板１の後端部に設けて、この接続部９を他のスノコ板１の被接続部10に接続することにより、スノコ板１の前端部を他のスノコ板１の後端部に連結し得るように構成している。
【００４５】
具体的には、接続部９は、スノコ板１の前端部に上向きに凹む凹陥部９Ａを一体成形している（図１参照）。
【００４６】
また、この凹陥部９Ａは、スノコ板１の前端部の、前記接地部５を避けた左右二箇所に設けると共に、後述の突出部10Ａへの被嵌係止が容易となるよう左右幅が下側ほど末広がる形状に形成している。
【００４７】
被接続部10は、スノコ板１の後端部から外方（前方）へ短く突出する突出部10Ａと、この突出部10Ａの突出先端部に設けられ突出部10Ａより左右幅が幅広な抜け止め板部10Ｂとから成る形状に一体成形した構成としている（図２，図８参照）。
【００４８】
また、この被接続部10は、前記接続部９に位置を対応させて、スノコ板１の後端部の、前記接地部５を避けた左右二箇所に設けている。
【００４９】
また、この被接続部10の突出部10Ａは、左右幅寸法を前記凹陥部９Ａ上部の最小左右幅寸法よりやや小さい幅寸法に設定して、この突出部10Ａに凹陥部９Ａを上方から被嵌係止可能な構成とすると共に、前記抜け止め板部10Ｂは、左右幅寸法を前記凹陥部９Ａの左右幅寸法より大きい幅寸法に設定して、前記突出部10Ａに凹陥部９Ａを被嵌係止すると、抜け止め板部10Ｂによって接続部９が被接続部10から抜け止め状態となり（図７に示すようにスノコ板１同士が前後方向に水平に接続され）、この接続状態でスノコ板１を他のスノコ板１に対し上動させて接続部９を被接続部10に対し嵌脱すると、スノコ板１同士の前後接続状態を解除できる構成としている。
【００５０】
また、前記凹陥部９Ａは、その開口周縁部の内側面をテーパ面状に形成する一方、このテーパ面に対応させて前記抜け止め板部10Ｂの突出部10Ａ側の板面もテーパ面状に形成し、このテーパ面同士が互いに面接当接することによって前後に接続されるスノコ板１同士の左右方向への横ズレを防止した構成としている（図８参照）。
【００５１】
従って、このスノコ板１を前後方向に接続することによって押入れやクローゼットなどの収納空間の奥行寸法に応じたサイズ調整が可能となるように構成している。
【００５２】
尚、本発明は、本実施例に限られるものではなく、各構成要件の具体的構成は適宜設計し得るものである。
【符号の説明】
【００５３】
１  スノコ板
１Ａ 底部スノコ板
１Ｂ 側部スノコ板
２  開口部
３  連結用凸部
４  接地面
５  接地部
６  弾性片
７  係止爪
Ｓ  Ｕ字形スノコ
【図１】
0006633860.tif 000002
【図２】
0006633860.tif 000003
【図３】
0006633860.tif 000004
【図４】
0006633860.tif 000005
【図５】
0006633860.tif 000006
【図６】
0006633860.tif 000007
【図７】
0006633860.tif 000008
【図８】
0006633860.tif 000009